(57)【特許請求の範囲】
【請求項１】
第２部材に相対的な第１部材の動作を制御するための装置であって、前記第１部材がスライドレールによって前記第２部材に搭載され、前記装置は、事前の穴あけを必要とせずに前記第１部材及び前記第２部材に搭載可能であり、前記装置は、
付勢力を第１方向で前記第１部材に分け与えるためのアクチュエータと、
前記第２部材に搭載可能であり、前記第１方向とその反対の方向に往復可能な動作のための前記アクチュエータを搭載するための筐体と、
前記アクチュエータに操作可能であり、それにより、前記第１方向のその動作に抵抗するという意味において、減衰力を前記アクチュエータに分け与える緩衝器手段と、
前記第１部材に搭載可能であり、解放可能に前記アクチュエータに係合するための留め具を備え、
前記留め具は、前記第１部材に係合することによって、前記第１部材に搭載可能になり、
前記筐体は、前記第２部材に係合することによって、前記第２部材に搭載可能になり、
前記留め具は、前記スライドレールの一部としてではなく、前記スライドレールから分離して前記第１部材に搭載可能であり、
前記筐体は、前記スライドレールの一部としてではなく、前記スライドレールから分離して前記第２部材に搭載可能である
ことを特徴とする装置。
【請求項２】
前記筐体は、前記筐体から伸長する１対の脚を備える請求項１に記載の装置。
【請求項３】
前記装置は、
部分的に前記筐体を包み、その搭載を助けるブラケットをさらに備える先行する請求項のいずれか一項に記載の装置。
【請求項４】
前記ブラケットは、前記留め具と係合している前記アクチュエータに対して横方向の支持を提供する部分を備える請求項３に記載の装置。
【請求項５】
前記ブラケットは、略Ｌ字状の断面を有する請求項４に記載の装置。
【請求項６】
前記ブラケットは、略Ｕ字状の断面を有する請求項４に記載の装置。
【請求項７】
前記付勢力は引張ばねによって提供される先行する請求項のいずれか一項に記載の装置。
【請求項８】
前記緩衝器手段は直線ピストンとシリンダ緩衝器を備える先行する請求項のいずれか一項に記載の装置。
【発明の詳細な説明】
【技術分野】
【０００１】
本発明は、緩衝器組立品および、排他的ではないが、特に家具に使用するための緩衝器組立品に関する。
【発明の概要】
【０００２】
本発明は、下記の装置を提供する：例えば、１つの家具において、第２部材に相対的な第１部材の動作を制御するための装置であって、前記装置は、付勢力を第１方向の前記第１部材に分け与えるためのアクチュエータと、前記第２部材に搭載可能であり、前記第１方向とその反対の方向に往復可能な動作のための前記アクチュエータを搭載するための筐体と、前記アクチュエータに操作可能であり、それにより、前記第１方向のその動作に抵抗するという意味において、減衰力を前記アクチュエータに分け与える緩衝器手段と、前記第１部材に搭載可能であり、解放可能に前記アクチュエータに係合するための留め具を備え、前記筐体と前記留め具は、そのそれぞれの部材のその相対的な位置を決定するための位置決め手段を備えることを特徴とする。
【図面の簡単な説明】
【０００３】
本発明に係る実施の態様を、例として、添付図面を参照しながら説明する。図面の内容は次のとおりである:
【０００４】
【図１】は本発明に係る緩衝器組立品の第１実施形態を示す。
【０００５】
【図２】は本発明に係る緩衝器組立品の第２実施形態を示す。
【０００６】
【図３】は本発明に係る緩衝器組立品の第３実施形態を示す。
【０００７】
【図４】は引出し付キャビネットの第１形態に使用した図１の緩衝器組立品を示す。
【０００８】
【図５】は引出し付キャビネットの第２形態に使用した図２の緩衝器組立品を示す。
【０００９】
【図６】は図４または図５の引出し付キャビネットの引き出しを示す。
【００１０】
【図７】は引出し付キャビネットの第３形態に使用した図１の緩衝器組立品を示す。
【００１１】
【図８】は図７の引出し付キャビネットの引き出しを示す。
【発明を実施するための形態】
【００１２】
図１に示す緩衝器組立品の形態は、引出し付キャビネットの引き出しの閉動作に、減衰した力を分け与えるように設計されている。引張ばね１０がその力を提供しており、直線ピストンとシリンダ緩衝器２１がその減衰を提供している。ばね１０と緩衝器２１の両方が、キャビネットの側壁または枠に取付けられた筐体１３に移動可能に搭載されているアクチュエータ１２に接続されている。筐体１３は、便利なように成形プラスチック材料で作られる。アクチュエータ１２の動作は、筐体１３の線路１５に係合する１組のピン１４によって誘導される。
【００１３】
アクチュエータ１２は第１端末位置にセットすることができ、その第１端末位置には、引張ばね１０が搭載され、緩衝器２１が拡張される。アクチュエータ１２はその位置から離れるように移動することができ、その位置では、アクチュエータ１２は、引張ばね１０の付勢作用により、緩衝器２１の圧縮により提供される衰退動作に抗しながら他方の端末位置に引き戻らされる。
【００１４】
アクチュエータ１２の第１端末位置から離れる最初の動作は、引出しに取付けられた留め具１６との係合により引き起こされる。筐体１３と留め具１６は下記のように作用するように配置される：引出しの閉動作の間、留め具１６はアクチュエータ１２と係合し、それによりアクチュエータ１２はその閉鎖を助けるように減衰した力を分け与える。引出しの開動作の間、留め具１６とアクチュエータ１２は相互に作用して、第１端末位置にアクチュエータ１２を置き直す。この動作の間、緩衝器２１によって減衰動作は提供されない。
【００１５】
この一般的な性質を持つ引出し復帰機構は、当技術分野ではすでに知られており、実際、キャビネットや引出しでは、しばしば、その搭載を助けるために、標準的な配列で穴が事前にあけられている。しかしながら、このことは必ずしも事実ではなく、どのような場合においても、もしこの事前の穴あけ工程が要求されなければ有り難い。
【００１６】
ここでの筐体１３は、事前の穴あけを要求しない手段によって、キャビネットに取付けることができる、例えば、筐体の穴１７を介して適用されるセルフタッピンねじを使用することによって、取付けることができる。この方法により、筐体１３は典型的には木などによって作られるキャビネットの内壁１８に直接的に取付けることができるか（図５に示すように）または、キャビネットが枠組み持つ場合は、典型的には木などによって作られる枠２０の内縁１９に取付けることができる（図４に示すように）。
【００１７】
また、留め具１６も、事前の穴あけを必要とすることなく、引出しに取付けることができる、例えば、穴２３を介して適用されるセルフタッピンねじを、ここでも使用することによって取付けることができる。穴２３は、便利なように、ある程度の調整のために、長くなっている。
【００１８】
留め具１６が引出しの動作の間にアクチュエータ１２に作用するように、筐体１３と留め具１６が、それぞれの部材の取付けにおいて、正しい位置に配置されることは重要である。この目的を達成するために、筐体１３はそこから延びる一対の脚１１を有する。図４や図５に示すように、脚１１は引出しスライドレールＳ１の上に乗るように設計されており、その引出しスライドレールＳ１は基準として作用し、それにより、キャビネットに対する筐体１３の垂直位置が決定される。
【００１９】
引出しの動作方向における筐体１３の位置、すなわち、その水平方向の位置は、筐体１３の前縁の位置決めフランジ２８によって決定される。図５に示すように、位置決めフランジ２８はキャビネット側面パネル１８の前縁に隣接するように設計されている。
【００２０】
下記に対して注目してほしい：位置決めフランジ２８や脚１１の１つだけより、筐体１３を、正しい垂直位置に位置決めることができ、この場合、筐体１３は一対の脚ではなく、１つの脚だけが必要である。
【００２１】
キャビネットが枠組みを有する場合、筐体１３の搭載を助けるために、ブラケット２６が備えられる。ブラケット２６は、便利なように、シートメタルから形成されており、Ｌ字状の断面（図２に示すように）、またはＵ字状の断面（図１に示すように）を持つものであってもよい。この両方の場合において、ブラケット２６は、それがキャビネットに取付けられる地点において、部分的に筐体１３を包むように設計されている。この目的のために、ブラケット２６は、筐体１３の穴１７と対応した穴２７を有する。この場合、位置決めフランジ２８は、筐体１３の上の代わりに、ブラケット２６の上に備えられてもよい。図４に示すように、位置決めフランジ２８はキャビネット枠２０の前面に隣接するように設計されている。
【００２２】
キャビネットが枠組みを有している場合は（図４に示すように）、その材料や断面のために、ブラケット２６は筐体１３の搭載に対して剛性を付与しており、筐体１３は横方向には、別の方法では支持されていない。また、ブラケット２６の後部フランジ２９は、筐体１３の水平面の上に伸びるように設計されている。筐体１３が、枠組みを有するキャビネットに取付けられる場合は（図４に示すように）、後部フランジ２９の延長部分は、効果的にアクチュエータ１２に横方向の支持面を提供する。使用中に、引出しが閉じるのに伴って、留め具１６がアクチュエータ１２に衝突するとき、ブラケット２６の後部フランジ２９は、アクチュエータ１２および/または筐体１３が、留め具１６との係合がはずれて横方向に押しだされるのを防ぐ助けとなる。
【００２３】
留め具１６の垂直位置、つまり、引出しスライドレールＳ２の上方の位置は、それを筐体１３上の領域２４に押しあたるように設置することにより決定され、それは基準として作用する。留め具１６の水平位置は、引出し前部２５の内面と隣接することによって決定される。図６において、留め具１６は引出しの所定位置に示され、この場合、引出しは木などのパネルで作製されている。
【００２４】
図３に示される緩衝器組立品の形態は、筐体１３やブラケット２６の構成の観点からは、本質的に図１および図２の組立品と同じであるが、金属の側面パネルを持つ引出しを有するキャビネットに使用される。主な違いは、留め具３０の構成にあり、この場合においては、図８に示すように（下面は木製などのパネルであり、側面パネルは金属製である）、側面パネルの代わりに、引出しの下面に取付けられるように設計されている。取付けの手段は、ここでも、事前の穴あけを必要とすることなく、例えば、留め具３０の穴３３を介して挿入されるセルフタッピンねじによってなされる。
【００２５】
ここでは、留め具３０は、引出しの側面と係合し、それにより横方向の位置決めを行うフランジ３２を有している。引出しの動作の方向におけるその位置は、伸びた搭載台３４の一端を引出し前部２５の内面に隣接させることにより決定される。
【００２６】
他の違いは、この場合の筐体１３は、図７に示すように、逆方向で、スライドレールＳ１の上の代わりに下になるように、キャビネットに取付けられる。ここでは、筐体１３の垂直方向の精細な位置は、留め具３０を筐体上の領域３１に押しあたるように設置することにより決定され、それは、引出しを閉じる際の基準として作用する。このことにより、筐体１３が正しい高さに位置され、引出しの動作の間、留め具３０がアクチュエータ１２に衝突し、係合するのを確実にする。筐体１３の水平方向の位置は、筐体１３それ自身またはブラケット２６のどちらかに備えてよい位置決めフランジ２８のキャビネットの前面に隣接することにより決定される。
【００２７】
筐体１３はブラケット２６を介してキャビネットに搭載されており、そのことは、筐体１３に付加的な支持や剛性が与えられことに寄与する。また、後部フランジ２９の拡張部分も、使用中のアクチュエータ１２に横方向の支持を与える。
【００２８】
上記で述べた緩衝器組立品は引出し付キャビネットに使用されるように設計されていたが、本技術は容易に他の家具の用途での使用に、実際には、乗り物やビルなどの他の全く異なる用途での使用にも容易に適合できる。
【図１】
0006259768.tif 000002
【図２】
0006259768.tif 000003
【図３】
0006259768.tif 000004
【図４】
0006259768.tif 000005
【図５】
0006259768.tif 000006
【図６】
0006259768.tif 000007
【図７】
0006259768.tif 000008
【図８】
0006259768.tif 000009